(57)【要約】【課題】変調されたウォブル信号の正確な性能を評価する指標を用いる情報記録媒体の評価方法、評価装置、及び情報記録媒体とその製造方法を提供する。【解決手段】  一定の周波数でウォブルした案内溝のアドレスが、前記案内溝のウォブルを変調することで記録されている情報記録媒体の評価方法において、ウォブル信号の振幅変動量と信号対ノイズ（SＮＲ（Signal to noise ratio））量との両方の値からアドレス再生の誤り率を推定し、誤り率の少ない所定範囲を設定し、誤り率が前記所定範囲内にあるかどうかを判定する。【選択図】      図１
2006139847.tif 000002
【特許請求の範囲】
【請求項１】
一定の周波数でウォブルした案内溝のアドレスが、前記案内溝のウォブルを変調することで記録されている情報記録媒体の評価方法において、
ウォブル信号の振幅変動量と信号対ノイズ（SＮＲ（Signal to noise ratio））量との両方の値からアドレス再生の誤り率を推定し、誤り率の少ない所定範囲を設定し、誤り率が前記所定範囲内にあるかどうかを判定することを特徴とする情報記録媒体評価方法。
【請求項２】
上記ウォブル信号の振幅変動量であるＹと、上記信号対ノイズ（ＳＮＲ（Signal to noise ratio））量［ｄＢ］であるＸとが、以下の式（Ａ）の関係を満たすように、情報記録媒体の評価のために前記所定範囲の閾値を決定することを特徴とする請求項１記載の情報記録媒体評価方法。
Ｙ  ＝Ａ×Ｘ+Ｂ  （ＡとＢは定数）・・・・（Ａ）
ただし、Ａが0.07、Ｂが0.35から0.6の範囲内に収まる。
【請求項３】
上記ウォブル信号の振幅変動量を得る場合、
ウォブル振幅の変動周期毎にウォブル振幅変動のピーク値もしくはボトム値を測定し、それぞれの平均値をウォブル振幅変動の最大値もしくは最小値とし、この最大値と最小値から前記ウォブル振幅変動量を得ることを特徴とする請求項２記載の情報記録媒体評価方法。
【請求項４】
前記ピーク値もしくはボトム値測定のためのゲート間隔を｛ウォブル周期／（2×π×トラックピッチ）｝トラック以上とすることを特徴とする請求項３記載の情報記録媒体評価方法。
【請求項５】
前記ピーク値もしくは前記ボトム値測定のためのゲート間隔をトラック1回転に同期させることを特徴とする請求項４記載の情報記録媒体評価方法。
【請求項６】
上記信号対ノイズ（ＳＮＲ（Signal to noise ratio））量［ｄＢ］を得るためにノイズレベルの測定を行う場合は、信号の中心周波数から150kHz以上離れた周波数で測定することを特徴とする請求項１記載の情報記録媒体評価方法。
【請求項７】
ウォブル信号の周波数特性の測定結果を振幅変動周期以下の間隔で更新し、平均回数を128回以上とすることを特徴とする請求項６記載の情報媒体評価方法。
【請求項８】
一定の周波数でウォブルした案内溝のアドレスが、前記案内溝のウォブルを変調することで記録されている情報記録媒体の評価装置において、
ウォブル信号の振幅変動量を得る手段と、
前記ウォブル信号から信号対ノイズ（SＮＲ（Signal to noise ratio））量を得る手段と、
前記振幅変動量と信号対ノイズ（SＮＲ（Signal to noise ratio））量の両方の値からアドレスの再生の誤り率を推定し、誤り率の少ない所定範囲を設定し、この所定範囲にあるかどうかを判定する手段と、
を有する情報記録媒体評価装置。
【請求項９】
一定の周波数でウォブルした案内溝のアドレスが、前記案内溝のウォブルを変調することで記録されている情報記録媒体の製造方法において、
ウォブル信号の振幅変動量と信号対ノイズ（SＮＲ（Signal to noise ratio））量［ｄＢ］との両方の値からアドレス再生の誤り率を推定し、誤り率の少ない所定範囲を設定し、
前記誤り率の少ない所定範囲を設定するための閾値は、上記ウォブル信号の振幅変動量であるＹと、上記信号対ノイズ（ＳＮＲ（Signal to noise ratio））量［ｄＢ］であるＸとが、以下の式（1）の関係を満たすように、情報記録媒体の評価判定の閾値を決定しており、
この前記所定範囲内にアドレス再生の誤り率があるかどうかを判定して選別を行うことを特徴とする情報記録媒体の製造方法。
Ｙ  ＝Ａ×Ｘ+Ｂ  （ＡとＢは定数）・・・・（1）
ただし、Ａが0.07、Ｂが0.35から0.6の範囲内に収まる。
【請求項１０】
一定の周波数でウォブルした案内溝のアドレスが、前記案内溝のウォブルを変調することで記録されている情報記録媒体であって、
ウォブル信号の振幅変動量と信号対ノイズ（SＮＲ（Signal to noise ratio））量［ｄＢ］との両方の値からアドレス再生の誤り率を推定し、誤り率の少ない所定範囲を設定し、前記誤り率の少ない所定範囲を設定するための閾値は、上記ウォブル信号の振幅変動量であるＹと、上記信号対ノイズ（ＳＮＲ（Signal to noise ratio））量［ｄＢ］であるＸとが、以下の式（1）の関係を満たすように、情報記録媒体の評価判定の閾値を決定したとき、
この前記所定範囲内にアドレス再生の誤り率があることを特徴とする情報記録媒体。
Ｙ  ＝Ａ×Ｘ+Ｂ  （ＡとＢは定数）・・・・（1）
ただし、Ａが0.07、Ｂが0.35から0.6の範囲内に収まる。
【発明の詳細な説明】
【技術分野】
【０００１】
この発明は、情報記録媒体としての光ディスクの分野に適用して有効な発明であり、情報記録媒体、情報記録媒体の評価方法及び装置、情報記録媒体の製造方法に関する。
【背景技術】
【０００２】
周知のように近年では、情報の高密度記録が可能な光ディスクとして、片面１層の容量が4.7GBを有する光ディスクが実用化されている。例えば、書き換え可能な＋RW(ECMA-337)がある。
【０００３】
これらの光ディスクは透明基板上に情報記録層を形成し、レーザー光をこれに集光することで、情報の記録再生を行っている。また、情報の記録再生の手段として、光ディスクの情報記録層はグルーブと呼ばれる案内溝を有している。情報の記録再生はこの案内溝に沿って行われる。また、情報を記録再生する空間的な位置を特定するための、物理アドレスが形成されている。
【０００４】
即ち、＋ＲＷでは物理アドレスの形成手段として案内溝を半径方向に小さく振動させるグルーブウォブルの変調(以下ウォブル変調と言う)を利用している。これは、ウォブルの位相を記録したい情報に対応させて変化させる方法である。ウォブル変調による物理アドレスは、記録トラックを遮断しないことから、ユーザー情報を記録する面積が広いすなわちフォーマット効率が高い、再生専用メディアとの互換がとりやすいといった利点がある。
【０００５】
また、このグルーブウォブルを光学的に再生したウォブル信号の品質の評価指標として、ウォブル信号のNarrow Band Signal to Noise ratio(NBSNR)がある。これは、ウォブル信号を搬送しているキャリアの振幅（キャリアレベル）と、ノイズの振幅(ノイズレベル)の比率を評価するもので、NBSNRが高いほどウォブル信号から読み取られる情報の復調率は高くなる。また、このNBSNRは、単にＳＮＲ，もしくはCarrier to Noise Raitio(CNR)とも呼ばれる。
【０００６】
通常、ウォブル信号のNBSNRはウォブル信号をスペクトラムアナライザ等の周波数成分解析装置に入力し、キャリア周波数のピーク値と、キャリア周波数周辺のノイズレベルとの差を求めることで、計測する。しかしながら、ウォブル信号に変調成分がある場合、キャリア周波数のピーク値は実際より低くなり、また、変調成分の周波数によって、キャリア周波数周辺のレベルが持ち上がる。したがって、ウォブル信号に変調性分がある場合、正確にウォブル信号のNBSNRを測定することができなくなる。
【０００７】
一方、＋ＲＷではウォブル信号が無変調領域と変調領域の２種類存在し、ウォブル信号の大部分が無変調領域であるため、変調成分をほとんど無視して、ウォブル信号のNBSNR測定をすることが可能であった。
【０００８】
しかしながら、変調領域を少なくすると、記録できる情報の容量が低下してしまう。したがって、ウォブル変調による情報の記録容量を増した場合、この方法は利用できない。
【０００９】
これに対し、発明者先願の特開2004-280878では、ウォブル信号を２逓倍することで、変調成分を取り除き、正確なNBSNRの測定を可能にしていた。
【特許文献１】特開2004-280878
【発明の開示】
【発明が解決しようとする課題】
【００１０】
しかしながら、本願が対象とするようなウォブル物理的な長さがディスクの一部の領域、もしくは全体で一定であるCLV（Constant liner velocity）フォーマットのような光ディスクでは、隣接トラックからのウォブルクロストークにより、2逓倍後も変調成分が残留し、NBSNRの測定が正確に行えないといった問題が発生する。さらに、ウォブル信号から読み取られる情報の復調率はNBSNRだけでなくウォブルクロストークの量によっても変化するので、NBSNRだけを評価しても、ウォブル信号から読み取られる情報の復調率を予測できないといった問題も発生する。
【００１１】
そこで、本発明は上記の問題を解決するためになされたものであり、変調されたウォブル信号の正確な性能を評価する指標を用いる情報記録媒体の評価方法、評価装置及び、これを用いて最適化された信頼性の高い情報記録媒体、これを用いて媒体の最適化を行う情報記録媒体製造方法、製造装置を提供することを目的とする。
【課題を解決するための手段】
【００１２】
この発明の一面では、一定の周波数でウォブルした案内溝のアドレスが、前記案内溝のウォブルを変調することで記録されている情報記録媒体の評価方法において、ウォブル信号の振幅変動量と信号対ノイズ（SＮＲ（Signal to noise ratio））量との両方の値からアドレスの再生の誤り率を推定し、誤り率の少ない範囲を設定して判定を得ることを特徴としている。
【発明の効果】
【００１３】
振幅変動と2逓倍ウォブル信号のNBSNRという2種類の評価指標を用いることで、比較的簡単な評価系、評価回路を利用しながら正確にアドレス情報の記録品質を評価することができる、
本願ではアドレス読み取り率が一定となるような振幅変動とNBSNRの関係を明らかにした、これにより、たとえばNBSNRを改善できない場合には振幅変動を改善するといったディスク製造時の調整が可能となり、ディスク製造の歩留まりを高めることが可能となる。また、正確にアドレス情報の記録品質を評価できることから、ディスクの互換性が高まる、
従来のディスク評価では判定再生可能なディスクを再生不可能としていたものが正確に再生可能なディスクと判定できるので、ディスク製造の歩留まりを高めることができる、
振幅変動は主にウォブルクロストークのビート周期で発生することから、測定時のゲートの間隔をビート周期  ＝（ウォブル周期／（2×π×トラックピッチ））トラックより長い周期のゲート間隔で極小値、極大値を測定することで、正確に極小値、極大値を捉えることが可能となる、
2逓倍ウォブル信号の周波数特性は、ウォブルクロストークの変化に合わせて（ウォブル周期／（2×π×トラックピッチ））トラック周期で大きく変動する。したがって、局所的な値を平均することで、ディスクの平均的な品質を評価することができる。
【発明を実施するための最良の形態】
【００１４】
以下、図面を参照してこの発明の実施の形態を説明する。
【００１５】
光ディスク装置の説明
図1（Ａ）、図１（Ｂ）に本発明に係わる実施形態の一つである光ディスク装置と光ディスクの評価装置の構成例を示す。本発明に係る光ディスク装置はピックアップヘッド（以下PUH記す）１１１から出射されるレーザー光を光ディスク１００の情報記録層に集光することで、情報の記録再生を行っている。ディスク１００により反射された光は、再び、PUH１１１の光学系を通過し、フォトディテクター(以下PDと記す)１１２で電気信号として検出される。
【００１６】
PD１１２は2分割以上に分割されており、各素子の出力を加算したした信号を和信号、減算した信号を差信号と呼ぶ。特に、ユーザー情報等の高周波情報が付加された和信号をRF信号と呼ぶ。また、光ディスク１００に対して光学的に半径(ラジアル)方向に配置された関係にある各素子の出力を減算した信号をラジアルプッシュプル信号と呼ぶ。
【００１７】
図１（Ｂ）には、後でさらに詳しく説明する情報記録媒体（光ディスク）の評価装置の概略構成を示している。この装置は、独立して構成されてもよく、又は、アドレス信号処理回路１１６、コントローラ１２１と一体化されていてもよい。評価装置は、振幅変動量測定装置１５０、ＳＮＲ測定装置１６０、評価判定装置１７０により構成されている。
【００１８】
図2に4分割PD112の例を示す。4つの素子A,B,C,Dのすべての出力を加算した信号が和信号、2つの素子の出力を加算した後に、加算信号同士を減算した結果が差信号となる。図の例では、素子Ａ，Ｂの出力が加算器１１２ａで加算され、素子Ｃ，Ｄの出力が加算器１１２ｂで加算される。そして、加算器１１２ａ，１１２ｂの出力が加算器１１２ｃに入力されて、和信号（Ｉ１＋Ｉ２）となり、加算器１１２ａ，１１２ｂの出力が減算器１１２ｄに入力されて差信号（Ｉ１−Ｉ２）となる。
【００１９】
検出された電気信号は、図１に示すプリアンプ１１３で増幅され、サーボ回路１１４、RF信号処理回路１１５、アドレス信号処理回路１１６に出力される。
【００２０】
サーボ回路１１４では、フォーカス、トラッキング、チルト等のサーボ信号が生成され、各信号がそれぞれ、PUH１１１のフォーカス、トラッキング、チルトアクチュエータに出力される。
【００２１】
RF信号処理回路１１５では、検出された信号のうち、主に和信号を処理することにより、記録されたユーザー情報等の情報を再生する。この際の復調方法としては、スライス方式やPRML（Partial Response Maximum Likelihood）方式がある。
【００２２】
アドレス信号処理回路１１６では、検出された信号を処理することにより、光ディスク１００上の記録位置を示す、物理アドレス情報を読み出し、コントローラー１２１に出力する。コントローラー１２１はこのアドレス情報を元に、所望の位置のユーザー情報等の情報を読み出したり、所望の位置にユーザー情報等の情報を記録したりするために、各ブロックの制御を行う。
【００２３】
この際、ユーザー情報は記録信号処理回路１１７で光ディスク記録に適した信号に変調される。例えば(1,10)RLL,(2,10)RLL等の変調法則が適用される。記録信号処理回路１１７からの変調信号は、レーザディスク装置（以下ＬＤＤと記す）１１８を制御する。これにより、ＰＵＰ１１１から出力されるレーザビームが記録信号に応じて制御される。
【００２４】
光ディスク
本発明に係る光ディスクは、透明基板上に情報記録層が設けられており、この情報記録層は複数のエリアに分割されている。そのうちの１つである情報記録エリアには、グルーブと呼ばれる案内溝が設けられている。案内溝はトラックとよばれ、情報の記録再生はこのトラックに沿って行われる。
【００２５】
図３は、トラックを示す。図3に示すように内側から外側まで連続してつながるスパイラル型、と図示はしないが、複数の同心円から形成される同心円型がある。
【００２６】
グルーブ形状
図４にトラックの拡大図を示す。トラックは情報記録層の凹凸によって形成されており、片側をグルーブ、もう一方をランド呼ぶ。情報は、グルーブ、ランドどちらに記録してもよいが、ここではグルーブに記録することとして説明を進める。グルーブは半径方向にわずかに蛇行するウォブル構造を有している。本発明に係る光ディスクではさらに、このウォブルに位相変調等の変調を加えることで、情報記録領域における物理的な位置を示す物理アドレス情報及びディスクの固有情報を記録している。
【００２７】
プッシュプル信号（トラッキングエラー信号／ウォブル信号）
図５の（Ａ），（Ｂ），（Ｃ）、（Ｄ）には、トラックを上から見た図及び光ディスクを光ディスク装置で再生した場合の再生信号を示す。光ディスクにレーザービームが照射された状態で、フォーカス制御をオンした場合、レーザーは光ディスクの情報記録面に集光される。トラッキング制御を行っていない場合には、図５（Ａ）に示すように集光されたビームスポットはグルーブＧをまたいで走査されるため、PD１１２にはこのグルーブ構造を反映した戻り光が返ってくる。このとき、ラジアルプッシュプル信号は図５（Ｂ）に示すようなサイン波状の波形となる。グルーブ幅の中心では、０Ｖとなる。この信号はたとえばトラッキングの制御に用いられる。同信号をトラッキングの制御に用いる場合、帯域の高い信号成分はノイズとなるので高周波をカットする必要がある。たとえば、同信号をカットオフ周波数30kHzの一次のローパスフィルターに通す処理を施す。このような信号をトラッキングチャネル信号、もしくはトラッキングエラー信号を呼ぶ。トラキングエラー信号の振幅は、ディスクのグルーブ深さや、トラックピッチ、再生装置の集光ビーム形状等で変化する。ここで、トラッキングエラー信号の振幅を（I1-I2）PPと表す。
【００２８】
次に、トラキングエラー信号を用いてトラッキング制御をオンした場合、トラキング制御回路はトラッキングエラー信号が常に0となるようにアクチュエータを制御する。この結果、集光ビームはグルーブ、もしくはランドトラックに追従し、理想的にはトラックを中心を走査する。このとき、トラッキング制御の制御帯域に比べてグルーブのウォブル周波数は十分に高いため、図５（Ｃ）に示すようにビームスポットはウォブルには関係なく、トラックの中心を直進することになる。ここで、PD１１２にはグルーブの構造を反映した戻り光が返ってくるため、差信号はグルーブのウォブルにあわせて変化し、図５（Ｄ）に示すような信号となる。これをウォブル信号と呼ぶ。
【００２９】
ウォブル信号は、スピンドルの回転周波数の調整や、記録クロックのリファレンス、物理アドレス情報の保存（又は記録）等に利用される。ウォブル信号はグルーブのウォブル形状に従った信号として出力されるため、たとえばウォブルをサイン波状の構造にした場合には、ウォブル信号はサイン波状になり、のこぎり波状の構造にした場合には、ウォブル信号ものこぎり波状となる。また、ウォブルに位相変調が掛けられている場合、信号には位相変調成分が現れる。
【００３０】
図６に本発明の実施例の一つであるウォブル位相変調の例を示す。図６のウォブルは一部に位相変調が施されており、それ以外の部分は無変調領域となっている。変調領域は、4つのシンボルに分かれている。
【００３１】
図７に示すように、シンボルは、４波のウォブルで構成されており、位相の180度異なる2種類が用意されている。そして、一方をNPW（Normal phase wobble）、もう一方をIPW（Inverted phase wobble）としている。変調領域のうち先頭のシンボルは同期信号（SYNC）としてIPWに固定されているほか、無変調領域はすべてのウォブルがNPWとなっている。Data1からData3は記録するデータによってIPWとNPWが選択される。
【００３２】
光ディスクの具体的な構成
次に、本発明の実施例の一つである光ディスクの具体的な構造について説明を行う。本発明に係る光ディスクは、例えばトラックピッチ0.4μm、データのチャネルピット長は0.102μm、ウォブルの周期は93×チャネルビット長となっている。また、これを再生する光ディスク装置の光学系は対物レンズのNAが0.65、レーザーの波長が405nm、スピンドルモータの回転線速度が6.61m/sとなっている。したがって、ウォブルの周波数は6.61/(0.102/1000×93)=697000Hz  =697kHzとなる。また図６に示されるように、ウォブルの変調領域は、84ウォブル中16ウォブル設けられており、さらにウォブル信号に記録する情報の1ビットに当たる1シンボルは4ウォブルで構成される。ウォブルの形状は特にこれに限定するものではないが、以下特に断りのない限りこの値を参考に説明を進める。
【００３３】
ウォブル信号振幅変動
次に、本発明に係る光ディスクのウォブル形状と再生信号に関しての詳細について説明を行う。本発明に係る光ディスクでは、ウォブル（蛇行）１回分の周期は情報記録エリアの全体、もしくは一定の範囲内で同じ長さになっている。さらに、サイン波状の構造のウォブルに対し、情報記録領域における物理的な位置を示す物理アドレス情報やディスクの固有情報に従って、位相変調が掛けられている。したがって、その範囲内を線速度一定（Constant liner velocity:CLV）で再生した場合、一定の周波数で、ところどころ位相が変化したウォブル再生信号が得られることになる。
【００３４】
図８にトラック一周毎のウォブルの位相関係を示す。円形のトラック構造を有する光ディスク１００では、外周方向に行くにしたがって、1周の長さがわずかに長くなる。この量はトラックピッチに依存しており、1トラック外周側に移るときの1周の長さの増加量は（2×π×トラックピッチ）となる。ここで、ウォブル一回分の周期は一定のため、図に示すように隣り合うトラックのウォブルの位相はトラックが進むのに従い、徐々にずれることになる。
【００３５】
さらに、位相のずれ量はディスク1周で（2×π×トラックピッチ）であるため、（ウォブル周期／（2×π×トラックピッチ））トラックの周期で、隣接するトラックの位相条件は一回りする。ここで、ウォブルの周期が93×0.102μm、トラックピッチが0.4μmの場合、位相条件は3.77トラックで一回りする。
【００３６】
一方、集光ビームスポットが、トラックに対して十分小さくない場合、ビームの裾野は隣接のトラックにもかかるため、再生信号には自分が再生しているトラックのウォブル信号の他、隣接トラックからのクロストーク成分が加算されることになる。隣接トラックのウォブル位相が再生トラックに近い場合には、再生されるウォブル信号の見かけの振幅が大きくなり、隣接トラックのウォブル位相が再生トラックと反対（180度ずれた方向）である場合には、再生されるウォブル信号の振幅は小さくなる。
【００３７】
図９（Ａ），図９（Ｂ），図９（Ｃ）に再生されるウォブル信号を示す。図９（Ａ）は観測されるウォブル信号のエンベロープ、図９（Ｂ）は領域AのようなNPW信号の極小位置でのウォブル信号、図９（Ｃ）は領域BのようなNPW信号の極大位置でのウォブル信号を表す。ここで、信号振幅が最も低下した場合のウォブル信号振幅をWppmin、最も大きくなった場合のウォブル信号振幅をWppmaxと表す。図９（Ａ）に示すようにNPW信号の振幅は、（ウォブル周期／（2×π×トラックピッチ））トラックの周期で変動する。変動の大きさはクロストークが大きい場合には、大きくなり、クロストークが小さくなれば小さくなる。さらに、変動が大きい場合にはクロストークが大きいため、再生トラックのアドレス復調が誤りやすくなり、変動が小さい場合にはクロストークが小さいため、再生トラックのアドレス復調が誤りにくくなる。従って、変動の大きさを計測することで、アドレス情報等ウォブルの変調信号の記録再生品質を評価することが可能となる。具体的には式(1)で表される値を計測、計算することにより評価を行う。
【数１】
2006139847.tif 000003
【００３８】
ウォブル信号振幅（評価装置／評価方法）
図１０にウォブル信号振幅の測定装置の構成を示す。本発明の実施例の一つであるウォブル信号振幅測定装置は、光ディスク再生装置３０１と、そのウォブル信号の周波数特性を解析する周波数特性解析装置３０２と、解析された周波数特性からWppmaxとWppminの値を計測するWpp計測装置３０３で構成されている。光ディスク装置３０１からは、ウォブル信号の他、ディスク一回転に同期した一回転一発のパルス信号が出力される。通常、周波数特性解析装置３０２には、スペクトラムアナライザが用いられる。表1に、スペクトラムアナライザのパラメータの設定値を示す。
【表１】
2006139847.tif 000004
【００３９】
測定の中心周波数は、ウォブル信号の平均周波数に合わせられる。周波数範囲（スパン）は0Hzにあわせられる。レゾリューションバンドは、ウォブル周波数の0.5%から2%程度の範囲の周波数に設定する。あまり狭いと、回転変動等により設定した中心周波数と実際のウォブル周波数のずれが生じた場合にウォブル信号が周波数特性解析装置のフィルタを外れてしまうし、あまり広すぎると、ウォブル信号とは関係ないノイズ成分を積算してウォブル信号とみなして計測してしまうため、この程度の値が望ましい。
【００４０】
ビデオバンド幅は測定結果のノイズ成分を取り除くために用いられるが、これは測定の対象となる振幅変動成分よりも2倍から10倍程度高い周波数に設定する。これは特に変調成分が測定の誤差となるため、変調成分の周波数帯域であるウォブル周波数/1シンボルのウォブル数=174kHzよりも十分低く、測定の目標である変動成分の周波数＝(ディスクの回転周波数)/3.77≒10Hzよりも高い帯域に設定することが望ましいからである。Wpp計測装置３０２では、ゲート信号の生成及び、ウォブル振幅変動の各波の極小値と極大値の測定、各波の極小値と極大値の測定を平均してウォブル振幅変動の最大値と最小値を求める演算等が行われる。ここで、ウォブル信号の振幅変動は（ウォブル周期／（2×π×トラックピッチ））=3.77トラックの周期で変化するため、ゲート信号の間隔はこの周期より長くする必要がある。また、処理を簡単にするため、ゲートの間隔を一回転一発のパルス信号に同期させることが望ましい。さらにゲート信号の間隔は、トラック1回転周期の整数倍になるように繰り上げると、測定の精度を確保したまま、ゲートの生成を簡単にすることが可能となる。例えば、ウォブル信号振幅の変動周期が3.77トラックの場合、ゲートの間隔は4トラックとすればよい。ここで、ゲートの間隔が変動周期よりも短い場合、ゲートの中に変動の波が1回分入らなくなるので極小及び、極大が捉えられなくなる。また、ゲート間隔が長い場合には、ゲートの中に複数の波が入るので、後述するピーク及びボトム検出による測定方法では個々の波の極大値と極小値を捕らえられなくなる。
【００４１】
図１１に周波数特性解析装置３０２の出力を示す。周波数特性解析装置３０２は、周波数範囲を0Hzとしているため、入力信号をレゾリューションバンドと中心周波数で指定された単一の狭帯域フィルタとして動作している。したがって、装置の出力は中心周波数で指定された信号の振幅情報、すなわちウォブル信号の振幅情報を示している。この周波数特性解析装置３０２の出力をCw[dBm]とすると、実際のウォブル信号振幅Wpp[V]は以下の式(2)で与えれる。
【数２】
2006139847.tif 000005
【００４２】
ここで、R：  周波数特性解析装置の入力段の終端抵抗値。一般には50Ωとなる。
【００４３】
また、出力にはビデオバンド幅で指定された比較的広い帯域のビデオフィルターが掛けられているため、変調等で発生する時間的に短い振幅変動成分は取り除かれている。図からわかるように、ウォブル信号の振幅はほぼ一定の周期で変動している。
【００４４】
図１２に図１１の拡大図を示す。縦のラインは1トラックの間隔を示している。ウォブル信号の振幅がほぼ4トラック周期で変動していることが確認できる。本発明の評価方法では、振幅変動の個々の波のピーク値とボトム値を極大値、極小値として測定し、その結果を平均することで、振幅変動全体の最大値および最小値を決定し、ディスクの平均的な振幅の変動量を評価することを特徴としている。また、振幅の変動はウォブル周期とトラックピッチで決まる一定の周期で起こるため、これにあわせて測定ゲートを開き、各ゲートのなかで、ピークとなる値を検出し、これを極大値としている。同様に、各ゲートの中でボトムとなる値を検出し、これを極小値としている。この結果、Wpp計測装置３０３は、ゲート発生機構、ピーク検出機構、ボトム検出機構、及び出力平均機構をがあれば構成可能となる。
【００４５】
図１３に4トラック周期のゲート信号と周波数特性解析装置３０２の出力、及び検出された極大値、極小値を示す。ここで、検出された極大値各点はCwmax(i)、極小点値各点はCwmin(i)と表される。
【００４６】
図１４にウォブル信号振幅評価方法のフローチャートを示す。第一のステップでは、光ディスク装置３０１からのウォブル信号出力を周波数特性解析装置３０２に入力する。このとき、光ディスク装置３０１からの差信号出力が複数ある場合には、後の校正のために、各回路のゲインが等しいことを確認する。これは、たとえば同じディスクの再生信号の振幅が等しいことを確かめることにより確認することができる(STEP1)。
【００４７】
第二のステップでは、周波数特性解析装置３０２のパラメータを表1で表される値に設定する(STEP2)。
【００４８】
第三のステップでは、ウォブルの平均周波数と周波数特性解析装置３０２の設定中心周波数が一致するように、ディスクモーターの回転線速度、もしくは周波数特性解析装置３０２の設定中心周波数の微調整を行う(STEP3)。ここで、両者の周波数がずれていると周波数特性解析装置３０２の狭帯域フィルタからウォブル信号の中心が外れるため、測定されるウォブル信号振幅が実際より低く測定されるという問題が発生する。
【００４９】
第四のステップでは、Wpp測定装置３０３において、4トラック間隔のゲート信号を発生させる。さらに、その各ゲート内において、周波数特性解析装置出力のピーク値及びボトム値をCwmax(i)及びCwmin(i)として測定する(STEP4)。
【００５０】
第五のステップでは、測定されたCwmax(i)とCwmin(i)の30ポイント分の平均を算出し、これをCwmax、及びCwminとする(ＳＴＥＰ5)。平均化を行うことで、局所的なディフェクトやノイズによるCwmax(i)やCwmin(i)の極端な変化を取り除くことができるので、ディスクの平均的な特性を評価することが可能となる。
【００５１】
第六のステップでは、測定されたCwmaxを式（2）のCwに代入し、Wppを算出する。この値をWppmaxとする。同様に、測定されたCwminを式（2）のCwに代入し、Wppを算出する。この値をWppminとする(STEP6)。
【００５２】
最後のステップでは算出されたWppmax及びWppminを式(1)に代入し、ウォブル振幅変動の評価結果とする（STEP7）。
【００５３】
ウォブル信号振幅評価装置設定値の妥当性
次に、表1.に示した設定値の妥当性について説明を行う。図１５に周波数特性解析装置のレゾリューションバンド幅(RBW)を変化させたときのWppmax/Wppminの測定結果を示す。ここで、周波数特性解析装置に入力した信号はWppmax/Wppminが安定して2になっているウォブル信号である。測定の結果が示すように、RBWが1kHzと、ウォブル周波数697kHzの0.5%よりも狭い場合には、測定結果が2よりもかなり大きくなっており、正常に測定が行えていないことがわかる。また、ウォブル周波数697kHzの2％を超えた30kHzからは測定結果が2より小さくなっていくことがわかる。これは、周波数特性の測定結果にノイズ成分が加算されるため、Cwminの測定時にCwmimが実際よりも大きく計測されてしまうことが影響している。
【００５４】
図１６にビデオバンド幅(VBW)、すなわち周波数特性解析装置のビデオフィルターのカットオフ周波数を変えたときの周波数特性解析装置の出力を示す。VBWが変動周波数約10Hzの2倍よりも低い値である10Hzである場合、周波数の高域成分が抑圧されてしまうので、実際よりも測定されるウォブル振幅の変動が小さく観測されてしまう。逆に、変動周波数約10Hzの10倍よりも高い値である300Hzに設定した場合、ノイズの除去が十分でなくなるため、部分的に大きな振幅をもつノイズが混入し、ピーク及びボトム検出による振幅変動の極大値、極小値の測定が難しくなることがわかる。
【００５５】
このような結果から、表1.の設定値がウォブル信号の振幅変動測定に最適な値であることが確認された。
【００５６】
ウォブル信号S/N（説明／評価装置／評価方法）
図１７に本発明の実施例の一つである2逓倍ウォブル信号のNBSNR評価装置の構成を示す。ウォブル信号は、低ノイズ増幅器５０１、バンドパスフィルタ５０２を介して２乗回路５０３に入力される。ここで、ウォブル信号は、２逓倍され、周波数測定回路（周波数特性解析装置）５０２に入力される。このとき、周波数特性解析装置５０２のパラメータは、表2に示される値に設定する。さらに、NBSNR測定装置５０５によって、周波数特性からキャリアレベルとノイズベルが計測され、式(3)にしたがって、NBSNRが求められる。ただし、ここでのキャリアレベルは、2逓倍前のウォブル信号の中心周波数の2倍の周波数で測定される。
【００５７】
NBSNR  [dB]＝キャリアレベル[dBm]-ノイズレベル[dBm]  ・・・・・・・(3)
【表２】
2006139847.tif 000006
【００５８】
一般にウォブル信号の品質を表すNBSNR（またはCNR）はウォブル信号をそのまま周波数特性解析装置に入力して、周波数特性を測定することで評価されるが、特開2004-280878に示されているように、ウォブル信号に位相差180degの2値位相変調が施されている場合、変調性分を取り除くために、ウォブルの2逓倍を行った後で周波数特性を評価する必要がある。
【００５９】
ただし、本発明に係る光ディスクでは隣接トラックのウォブル位相が再生トラックと異なること、隣接トラックからのウォブル信号のクロストークが発生することから、2逓倍後も中心周波数の周辺に変調成分が残留することになる。
【００６０】
図１８（Ａ）にクロストークがない場合の2逓倍ウォブル信号の周波数特性と、図１８（Ｂ）にクロストークがある場合の2逓倍ウォブルの周波数特性を示す。通常、図１８（Ａ）のような周波数特性曲線に対してNBSNRを測定する際には、中心周波数付近の周波数成分をノイズレベルとして測定するが、本発明に係る光ディスクでは、図１８（Ｂ）に示すように変調成分が残留しているため、このような方法を用いることはできない。
【００６１】
そこで、本発明の評価方法では変調成分の残留が十分に低下している中心周波数から離れた周波数帯域でノイズレベルを評価することを特徴としている。図１８（Ｂ）、図２０を見ても明らかであるが、複数のディスクの測定結果から、中心周波数から約150kHz離れれば、変調成分の残留はほとんど無視できるレベルに達することがわかった。このことから、本発明の評価方法では中心周波数から150kHz以上離れた帯域でノイズレベルを評価することにより、変調成分の残留にかかわらず、正確なディスクのノイズレベルを評価することが可能となっている。
【００６２】
図１９に本発明の実施例の一つである2逓倍ウォブル信号のNBSNR測定のフローチャートを示す。
【００６３】
第一のステップでは、光ディスク装置からのウォブル信号出力をBPF及び2乗回路に入力する。そして得られた2逓倍ウォブル信号を周波数特性解析装置に入力する。ここで、2乗回路は飽和を起こしやすいので、2乗回路の出力を確認し、出力が飽和しないように入力信号のゲインを調整する(STEP1)。
【００６４】
第二のステップでは、周波数特性解析装置のパラメータを表2.に示された値に設定する(STEP2)。
【００６５】
第三のステップでは、テスト用のデータを光ディスクに対して記録する。このとき、テスト用のデータは物理的に連続になるようにし、さらに400トラック以上記録を行う。ただし、あらかじめディスクに信号が記録されている場合、未記録部のウォブルを評価する場合にはこのステップを飛ばして第四のステップに移る(STEP3)。
【００６６】
第四のステップでは、光ディスクのトラックの連続的な再生と、周波数特性の測定を行う(STEP4)。周波数特性測定の結果の平均回数が128回に達するまでは、トラックを連続的に再生することとし、途中でトラックジャンプ等の走査を行わない事とする。
【００６７】
第五のステップではキャリアレベルとして測定された周波数特性の中心周波数付近のピークレベルを測定する(STEP5)。
【００６８】
第六のステップでは、ノイズレベルとして、中心周波数から-250kHzはなれた点から-200kHzはなれた点までの領域Aと+200kHzはなれた点から+250kHzはなれた点までの領域B内の測定結果の平均値を測定する(STEP6)。  今回の例では、1.14MHzから1.19MHzを領域A、1.59MHzから1.64MHzを領域Bとして、この領域内の測定値を平均したものをノイズレベルとする。図２０にノイズレベルの測定範囲を示す。
【００６９】
第七のステップでは式（3）に測定されたキャリアレベルとノイズレベルを代入し、2逓倍ウォブル信号のNBSNRを求める(STEP7)。
【００７０】
２逓倍ウォブル信号のNSBNR評価装置設定値の妥当性
次に、図２１（Ａ），図２１（Ｂ）にアベレージ（平均）回数を8回、16回、32回、128回と変化させて、それぞれ10回ずつキャリアレベルを測定したときの測定結果を示す。図１９のステップ（STEP4)で示したように、キャリアレベルの測定を128回平均化すると、安定した測定結果が得られることが分かる。したがって、振幅変動周期以下の間隔（50 msec以下）で更新して、平均回数を128回以上とすることが好ましい。
【００７１】
即ち、図21は、アベレージ回数を変化させて、それぞれ10回ずつキャリアレベルを測定したときの測定結果を示す。ここで、測定には常に同じディスク、同じ評価装置を用いている。測定の結果、アベレージ回数が少ない場合、毎回の測定結果が大きくばらつくことが判明した。10回測定を行った結果の最大値と最小値はアベレージ回数を32回としても1dBを超える、1.6dBとなっており、大きな測定ばらつきが発生しているといえる。
【００７２】
このばらつきの原因はウォブル振幅が変動にある。振幅変動の低いところだけを測定した場合と大きいところだけで測定した場合では、測定結果は異なってしまうため、正確な測定には振幅変動の平均を取る必要がある。ここで、ウォブル振幅の変動周期は約4トラックであるため、例えば半径58mmで考えると、変動周波数は5Hz程度、変動周期は220msecである。周波数特性測定時に変動成分を平均化する手法としては、ビデオフィルターの帯域を低くすること、すなわちローパスフィルターによる平均化と、帯域の高いビオフィルターで測定した結果を後で数値的に平均する方法の2種類が考えられる。ここで、ローパスフィルターによる平均化を考えると、フィルタの帯域は5Hzよりも低くする必要がある。この場合、周波数成分の1点を測定するために220msec以上の時間を必要とすることになり、例えば周波数範囲500kHzの間を1000点測定するためには、220sec以上の時間を必要とする。さらに、最初の1点を計測してから、最後の1点を計算するまでに220sec以上の時間がかかるため、周波数成分毎にディスク上の計測位置がかなり離れてしまうという問題が発生する。
【００７３】
一方、数値的な平均方法では、1点の計測を変動周期よりも短い周期で計測し、複数の計測結果を平均する。この場合、ビデオフィルターの帯域は5Hzに対して十分高く設定する必要がある。また、500kHzの範囲の周波数特性を1回測定するのにかかる時間であるスイープタイムは、この変動周期よりも十分短くする必要がある。例えば、半径24.0mmでは（24×2×π）/線速度×4[トラック]  =91msecよりも短くする必要がある。ただし高速な測定は測定装置への負担が大きいため、スイープタイプを余り短くすることには問題がある。例えば、スイープタイムを変動周期より短い50msecに設定した場合、変動の波1周期で1回か、2回周波数特性が測定できることになる。本発明の測定方法では、この測定を十分な回数平均化することで、ウォブル振幅の変動に影響されない、平均的な周波数特性を得ることが可能となる。また、平均の回数であるアベレージ回数は実験の結果から128回以上あれば十分であることを見出した。ここで、測定にかかる時間は50msec×128回＝6.4secとなり、ビデオフィルターによる平均化に比べて大幅な時間の短縮となっている。
【００７４】
また、6.4secは半径24mm付近では300トラック程度の再生時間となるため、テスト用のデータは300トラック以上記録しておく必要がある。実際には、測定のマージン等を考慮して、400トラック以上記録しておく方が良い。
【００７５】
このように、本発明ではウォブル信号のSNR（Signal to noise ratio）の測定に関して、スイープタイムを振幅変動の周期よりも短く設定し、さらに測定結果を十分に平均化することで、測定精度を高め、測定時間を短縮することを可能とした。
【００７６】
アドレスフォーマット
図２２に本発明の実施例の一つである光ディスクのアドレスフォーマットについて説明を行う。本発明に係る光ディスクはトラックが物理セグメントブロック（以下Physical segment block）単位で区切られており、ユーザーデータ等の情報の記録再生はこのPhysical segment block単位でアクセスを行うことにより実行される。Physical segment blockは７つの物理セグメント（以下Physical segment）で構成されており（図２２（ａ），図２２（ｂ））、さらにPhysical segmentは17のウォブルデータユニット（以下Wobble data unit（WDU））で構成されている（図２２（ｃ））。
【００７７】
WDUは８４波のウォブルで構成されており、位相変調によって３ビットの情報をData1、Dta2、Data3に保存することが出来る（図２２（ｄ））。１つのPhysical segment内の１７個のＷＤＵに含まれる３ビットの情報を集合することで、図２２（ｅ）に示す情報を形成することができる。
【００７８】
この情報はPhysical segment単位でまとまっており、これはセグメント情報（Segment information）、物理セグメントブロックアドレス（以下Physical segment block address）、物理セグメント順位（以下Physical segment order）、CRC（エラー訂正コード）で構成されている。従って、Physical segment blockのアドレス情報に当たるPhysical segment block addressは１Physical segment blockに7回記録されることになる。
【００７９】
アドレス復調回路
図２３にアドレス復調回路の模式図を示す。アドレス信号は主に、バンドパスフィルタ４０１、位相ロックループ回路（PLL）４０２、位相検波回路４０２、スライスレベルコントローラ４０３、アドレスデコーダー４０４で構成されている。PLL回路４０２によって、入力されたウォブル信号から、基準位相信号と、基準クロックを生成する。次の位相検波回路４０３では、基準位相信号とウォブル信号の乗算を行い、さらにその出力を基準クロック間隔で積分することで、位相情報を電圧情報として取り出す。この際、基準位相信号とウォブル信号の位相が一致している場合には、電圧情報は基準位相信号からみてプラス側になり、位相が180度反転している場合には電圧情報はマイナス側となる。ここで、基準位相信号がNPW（図７参照）の位相に一致していれば、プラス側の信号はNPW、マイナス側の信号はIPW（図７参照）となる。
【００８０】
スライスレベルコントローラでは、このプラス側とマイナス側の電圧レベルの中間値を取るように、スライスレベルをコントロールし、スライスレベルに対してプラス側の信号をNPW、マイナス側の信号をIPWとして判定する。ただし、基準位相信号がIPWの位相に一致していれば、この判定は逆となる。アドレスデコーダー４０４では、判定されたNPW、IPWの結果に従って、アドレス情報の読み出し、CRCのチェック等が行われる。
【００８１】
アドレスエラー率と評価信号
図２４に本発明の評価方法で光ディスクを評価した際のウォブル信号振幅変動と２逓倍ウォブル信号のNBSNRの値（横軸）と、アドレス情報の読み取り誤り率(アドレスエラー率)（縦軸）の測定結果を示す。ここで、アドレス測定の結果から、ウォブル信号品質評価指標であるウォブル信号振幅変動と、２逓倍ウォブル信号のNBSNRの値と、最終的に求めたい値であるアドレスエラー率と、の関係が明らかになっている。ここで、振幅変動が同じ場合、すなわち隣接トラックのウォブルのクロストーク量が同じ場合には、アドレスエラー率はNBSNRが悪くなるにしたがって、増加していく。一方、NBSNRが等しい場合でも振幅変動が増加すれば、アドレスエラー率は増加する。
【００８２】
ここで、本発明に係る光ディスクでは、ひとつの記録単位に複数個のアドレス情報が含まれていること、アドレス情報にCRCが付与されているため誤り判定ができることから、システムとして許容できるアドレスエラー率、すなわち多数決判定、連続性の補完等によりほぼ誤りなく所望のアドレスに対して信号の記録再生が可能となると考えられるアドレスエラー率は1.0×10-3程度と考えることができる。
【００８３】
ここで、図２４の結果からアドレスエラー率が1.0×10-3になる時のWppmax/WppminとNBSNRの値を抜き出して、プロットしたものを図２５に示す。
【００８４】
図２４の測定結果から、アドレスエラー率が1.0×10-3になる時のWppmax/Wppmin（Yw）とNBSNR(Xn)の値は  Yw=0.07×Xn+0.5で近似される関係を維持することが分かる。ここで、Yw＞0.07×Xn+0. 5の範囲では、アドレスエラー率が1.0×10-3を下回るため、そのようなディスクは情報の記録再生が困難となる。一方で、製造されたディスクの良否判定の際に、Yw<<0.07×Xn+0.5の範囲に閾値を定めた場合、ディスクの歩留まりが低下し、ディスクの製造コストが上がるといった問題が発生する。従って、ディスクの良否判定の閾値は、測定誤差を考慮して、Yw=0.07×Xn+（0.5+0.1）からYw＝0.07×Xn+（0.5-0.15）の直線で囲まれた範囲に設定するのが最良である。閾値がこの範囲あれば、アドレスの読取が安定して行えるディスクを最大の歩留まりで製造することが可能となる。図２５は、この歩留まりが最良な範囲の閾値に相当する直線を示している。
【００８５】
ディスクの製造
図２６にディスクの製造のためのマスタリング装置の構成図、図２７にディスク製造のフローチャートを示す。本発明の光ディスク媒体は、図２７に示すように、原盤作成（ＳＴ１）、スタンパ作成（ＳＴ２）、成形（ＳＴ３）、媒体成膜（ＳＴ４）、張り合わせ（ＳＴ５）の工程で製作される。張り合わせが済むと、製品試験（ＳＴ６）の工程となる。
【００８６】
原盤作成工程では、平らな原盤にレジストを塗布し、その原盤上のレジストをを図２６のマスタリング装置で感光し、さらに感光したレジストを現像により取り除くことで、最終的な光ディスク媒体の情報記録層と同様の凹凸を有する原盤を作成する。スタンパ作成工程では、原盤にNi等のメッキを施し、十分な厚みの金属板にし、原盤を剥離してスタンパを製作する。このとき、原盤に形成された凹凸は反転してスタンパに形成されている。次に成形工程では、スタンパを雛形として、そこにポチカーボネイト等の樹脂を流し込み、基板の成形を行う。このとき、成形された基板の表面の凹凸はスタンパの凹凸が転写されたものであり、すなわち原盤の凹凸とほぼ同様の凹凸である。次に、この凹凸部にスパッタ、スピンコート等で反射膜、記録材料等を成膜し、この成膜された部分を保護するためのもう一枚の基板を張り合わせて光ディスク媒体が完成する。すなわち、グルーブ等の案内溝や、ウォブルトラック等は図２６に示すマスタリング装置で記録されることになる。
【００８７】
図２６のマスタリング装置は、コントローラ６０１を有し、各機能ブロックのシーケンスを制御する。フォーマッタ６０２からレーザードライバ(LDD)６０３に出力された信号に基づき、光学系６０４のレーザー光量が制御される。レーザーの光は、光学系６０４に含まれるAO変調器、対物レンズ等を通過し、原盤６０５に照射される。照射光のフォーカス等はサーボ回路６０６によって制御される。サーボ回路６０６は、原盤６０５からの反射光を、光学系を介して検出するためのフォトディテクタ（ＰＤ）からの検出信号を取り込んでいる。そしてサーボ回路６０６は、原盤６０５の回転数などをスピンドルモータなどの制御部６０８を介してコントロールしている。また、ディスクの回転や半径方向の位置も同様に制御される。
【００８８】
原盤６０５の光が当たった部分は感光されるので、この部分が案内溝等になる。また、フォーマッタ６０２は光ディスクに記録したい物理アドレス情報等に基づき、ウォブル制御回路６１１に信号を出力する。ウォブル制御回路６１１は光学系中のAO変調器等を制御することで、原盤６０５に照射されるビームのスポットをわずかに半径方向に動かすことができる。
【００８９】
また、レーザー光量の制御や、スピンドルモーターの回転すを制御することで、グルーブの幅、形状を制御し、ウォブルのクロストーク量を調整することが出来る。ここで、このマスタリング装置の各制御量を最終的なウォブル信号の振幅変動量：Yw及び、2逓倍後のNBSNR：XnがYw＞0.07×Xn+(0.5+0.1)を満たすように調整することで、歩留まりが高く、再生安定性の優れた光ディスク媒体の製造が可能となる。
【００９０】
上記した実施形態の要点を述べると以下に述べるような評価方法、手段、装置、製造方法、手段、装置を有するし、またこのような方法、手段、装置により製造される情報記録媒体を含むものである。
【００９１】
一定の周波数でウォブルした案内溝のアドレスが、前記案内溝のウォブルを変調することで記録されている情報記録媒体の評価方法、評価装置、製造装置において、ウォブル信号の振幅変動量と信号対ノイズ（SＮＲ（Signal to noise ratio））量との両方の値からアドレスの再生の誤り率を推定し、誤り率の少ない範囲を設定して判定を得る方法、手段、又は装置を採用している。
【００９２】
また、上記ウォブル信号の振幅変動量であるＹと、上記信号対ノイズ（ＳＮＲ（Signal to noise ratio））量であるＸとが、以下の式（Ａ）の関係を満たすように、情報記録媒体の評価判定の閾値を決定している。  Ｙ  ＝Ａ×Ｘ+Ｂ  （ＡとＢは定数）・・・・（Ａ）
ただし、Ａが0.07、Ｂが0.35から0.6の範囲内に収まる。
【００９３】
また、上記ウォブル信号の振幅変動量を得る場合、ウォブル振幅の変動周期毎にウォブル振幅変動のピーク値もしくはボトム値を測定し、それぞれの平均値をウォブル振幅変動の最大値もしくは最小値とし、この最大値と最小値から前記ウォブル振幅変動量を得る方法、手段、装置を採用している。
【００９４】
また前記ピーク値もしくはボトム値測定のためのゲート間隔を｛ウォブル周期／（2×π×トラックピッチ）｝トラック以上とする方法、手段、装置を採用している。さらに、前記ピーク値もしくは前記ボトム値測定のためのゲート間隔をトラック1回転に同期させる方法、手段、装置を採用してもよい。また、上記信号対ノイズ（ＳＮＲ（Signal to noise ratio））量を得るためにノイズレベルの測定を行う場合は、信号の中心周波数から150kHz以上離れた周波数で測定する方法、手段、装置を適用している。また、ウォブル信号の周波数特性の測定結果を振幅変動周期以下の間隔で更新し、平均回数を128回以上としている。
【００９５】
上記したように、この発明によると次のような利点を得られる。アドレスの読み取り回路は大変複雑であるため、アドレスの読み取り率からアドレス情報の記録品質を評価するのはコストがかかるという問題がある。これに対し、振幅変動と2逓倍ウォブル信号のNBSNRという2種類の評価指標を用いることで、比較的簡単な評価系、評価回路を利用しながら正確にアドレス情報の記録品質を評価することができる。
【００９６】
振幅変動とNBSNRを別々に評価した場合、アドレス情報の記録品質を正確に評価することはできないが、本願ではアドレス読み取り率が一定となるような振幅変動とNBSNRの関係を明らかにした、これにより、たとえばNBSNRを改善できない場合には振幅変動を改善するといったディスク製造時の調整が可能となり、ディスク製造の歩留まりを高めることが可能となる。また、正確にアドレス情報の記録品質を評価できることから、ディスクの互換性が高まるという効果が得られる。
【００９７】
振幅変動測定の際、変動周期の極大値、極小値を平均することにより、局所的な大変動を取り除くことが可能となり、ピークをとる方法では、全体的に問題がなくても一部に局所的な変化があった場合は、再生不可能と判定されていた、このため、実際にはアドレスの連続性を利用して局所的な誤りは訂正可能である、従来再生可能なディスクを再生不可能としていたものが正確に再生可能なディスクと判定できるので、ディスク製造の歩留まりを高めることができる。
【００９８】
振幅変動は主にウォブルクロストークのビート周期で発生することから、測定時のゲートの間隔をビート周期  ＝（ウォブル周期／（2×π×トラックピッチ））トラックより長い周期のゲート間隔で極小値、極大値を測定することで、正確に極小値、極大値を捉えることが可能となる。
【００９９】
2逓倍ウォブル信号の周波数特性は、ウォブルクロストークの変化に合わせて（ウォブル周期／（2×π×トラックピッチ））トラック周期で大きく変動する。したがって、局所的な値を平均することで、ディスクの平均的な品質を評価することができる。
【０１００】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【０１０１】
【図１】本発明の実施例の一つである光ディスク装置と評価装置の構成を示す図。
【図２】本発明に係る4分割フォトディテクタの例を示す図。
【図３】本発明に係る光ディスクのトラックの説明図。
【図４】本発明に係る光ディスクのトラックを拡大して示す説明図。
【図５】トラックを上から見た説明図及び光ディスクを光ディスク装置で再生した場合の再生信号の説明図。
【図６】ウォブル位相変調の例を示す図。
【図７】シンボルが４波のウォブルで構成されている様子を示す説明図。
【図８】トラック一周毎のウォブルの位相関係を示す説明図。
【図９】再生されるウォブル信号の各種例を示す図。
【図１０】ウォブル信号振幅の測定装置の構成例を示す図。
【図１１】周波数特性解析装置の出力の例を示す図。
【図１２】図１１の信号波形の一部を拡大して示す図。
【図１３】4トラック周期のゲート信号と周波数特性解析装置の出力及び検出された極大値、極小値の関係を時間軸で示す説明図。
【図１４】ウォブル信号振幅評価方法の例を示すフローチャート。
【図１５】周波数特性解析装置のレゾリューションバンド幅(RBW)を変化させたときのWppmax/Wppminの測定結果を示す説明図。
【図１６】ビデオバンド幅(VBW)、すなわち周波数特性解析装置のビデオフィルターのカットオフ周波数を変えたときの周波数特性解析装置の出力の例を示す図。
【図１７】本発明の実施形態の一つである2逓倍ウォブル信号のNBSNR評価装置の構成例を示す図。
【図１８】クロストークがない場合の２逓倍ウォブル信号の周波数特性と、クロストークがある場合の２逓倍ウォブルの周波数特性を示す説明図。
【図１９】本発明の実施形態に係る２逓倍ウォブル信号のNBSNRを測定する方法の一例を示すフローチャート。
【図２０】本発明に関連するノイズレベルの測定範囲を示す説明図。
【図２１】２逓倍ウォブル信号のNSBNRを評価する評価装置がキャリアレベルを測定したときの測定結果を示す説明図。
【図２２】本発明に係る光ディスクのアドレスフォーマットの説明図。
【図２３】アドレス復調回路を模式的に示す構成図。
【図２４】本発明による評価方法で光ディスクを評価した際のウォブル信号振幅変動と２逓倍ウォブル信号のNBSNRの値（横軸）と、アドレス情報の読み取り誤り率(アドレスエラー率)（縦軸）の測定結果を示す説明図。
【図２５】図２４の測定結果からアドレスエラー率が1.0×10-3になる時のWppmax/WppminとNBSNRの値を抜き出して、プロットしたものを示す図。
【図２６】ディスクの製造のためのマスタリング装置の構成図。
【図２７】ディスク製造工程を説明するために示したフローチャート。
【符号の説明】
【０１０２】
１００…光ディスク、１１１…ＰＵＰ、１１２…フォトディテクター、１１３…プリアンプ、１１４…サーボ回路、１１５…ＲＦ信号処理回路、１１６…アドレス信号処理回路、１１７…記録信号処理回路、１１８…ＬＤＤ，１２１…コントローラ。
【図１】
2006139847.tif 000007
【図２】
2006139847.tif 000008
【図３】
2006139847.tif 000009
【図４】
2006139847.tif 000010
【図５】
2006139847.tif 000011
【図６】
2006139847.tif 000012
【図７】
2006139847.tif 000013
【図８】
2006139847.tif 000014
【図９】
2006139847.tif 000015
【図１０】
2006139847.tif 000016
【図１１】
2006139847.tif 000017
【図１２】
2006139847.tif 000018
【図１３】
2006139847.tif 000019
【図１４】
2006139847.tif 000020
【図１５】
2006139847.tif 000021
【図１６】
2006139847.tif 000022
【図１７】
2006139847.tif 000023
【図１８】
2006139847.tif 000024
【図１９】
2006139847.tif 000025
【図２０】
2006139847.tif 000026
【図２１】
2006139847.tif 000027
【図２２】
2006139847.tif 000028
【図２３】
2006139847.tif 000029
【図２４】
2006139847.tif 000030
【図２５】
2006139847.tif 000031
【図２６】
2006139847.tif 000032
【図２７】
2006139847.tif 000033